(57)【要約】【課題】投写画像のピントのずれを抑制することが可能なプロジェクターを提供する。【解決手段】照明装置と、照明装置からの照明光を画像情報に応じて変調して光学像を形成する電気光学装置４５０と、電気光学装置４５０で形成された光学像を投写する投写レンズ６００と、電気光学装置４５０と投写レンズ６００とを連結するとともに、温度変化により伸縮可能な連結部材５０と、連結部材５０に設けられるとともに、連結部材５０の温度を調整する熱電素子６０と、環境温度を測定する温度センサ６３と、温度センサ６３で測定された環境温度と光学像の表示モードとの関係に基づいて、電気光学装置４５０と投写レンズ６００との相対位置が変わらないよう熱電素子６０を制御する制御装置６４と、を含む。【選択図】図３
2013195490.tif 000002
【特許請求の範囲】
【請求項１】
照明装置と、
前記照明装置からの照明光を画像情報に応じて変調して光学像を形成する電気光学装置と、
前記電気光学装置で形成された前記光学像を投写する投写レンズと、
前記電気光学装置と前記投写レンズとを連結するとともに、温度変化により伸縮可能な連結部材と、
前記連結部材に設けられるとともに、前記連結部材の温度を調整する温度調整素子と、
環境温度を測定する温度センサと、
前記温度センサで測定された前記環境温度と前記光学像の表示モードとの関係に基づいて、前記電気光学装置と前記投写レンズとの相対位置が変わらないよう前記温度調整素子を制御する制御装置と、
を含むプロジェクター。
【請求項２】
前記制御装置は、さらに前記投写レンズに基づいて、前記温度調整素子を制御する請求項１に記載のプロジェクター。
【請求項３】
前記表示モードは、輝度モード、白黒比のうち少なくとも一つを含む請求項１または２に記載のプロジェクター。
【請求項４】
前記制御装置は、前記環境温度が基準温度よりも高いとき、前記温度調整素子が前記連結部材を冷却するよう前記温度調整素子を制御する請求項１ないし３のいずれか一項に記載のプロジェクター。
【請求項５】
前記制御装置は、前記環境温度が基準温度よりも低いとき、前記温度調整素子が前記連結部材を加熱するよう前記温度調整素子を制御する請求項１ないし３のいずれか一項に記載のプロジェクター。
【請求項６】
前記制御装置は、前記環境温度が基準温度と同じとき、前記温度調整素子が前記連結部材を加熱もしくは冷却しないよう前記温度調整素子を制御する請求項１ないし３のいずれか一項に記載のプロジェクター。
【請求項７】
前記温度調整素子は、前記制御装置の制御に基づいて、前記連結部材の側の面と前記連結部材とは反対側の面とのうちいずれか一方の面が発熱面となり、他方の面が吸熱面となるよう構成されており、前記発熱面と前記吸熱面とが切り替え可能になっている請求項１ないし６のいずれか一項に記載のプロジェクター。
【請求項８】
前記温度調整素子がペルチェ素子である請求項７に記載のプロジェクター。
【請求項９】
前記温度調整素子に蓄積される熱を放熱する放熱部材を含む請求項１ないし８のいずれか一項に記載のプロジェクター。
【請求項１０】
前記温度調整素子を冷却する冷却ファンを含む請求項１ないし９のいずれか一項に記載のプロジェクター。
【請求項１１】
前記電気光学装置は、第１電気光学変調装置と、第２電気光学変調装置と、第３電気光学変調装置と、クロスダイクロイックプリズムと、を含み、
前記第１電気光学変調装置は、前記クロスダイクロイックプリズムの第１面に配置されており、
前記第２電気光学変調装置は、前記クロスダイクロイックプリズムの第２面に配置されており、
前記第３電気光学変調装置は、前記クロスダイクロイックプリズムの第３面に配置されており、
前記連結部材は、前記クロスダイクロイックプリズムの第４面に連結されており、
前記クロスダイクロイックプリズムの中心と前記第１電気光学変調装置の液晶面との間の距離と、前記クロスダイクロイックプリズムの中心と前記第２電気光学変調装置の液晶面との間の距離と、前記クロスダイクロイックプリズムの中心と前記第３電気光学変調装置の液晶面との間の距離と、が互いに同じになっており、
前記温度調整素子は、前記第４面の法線方向から見て、前記クロスダイクロイックプリズムの中心と重なる位置に配置されている請求項１ないし１０のいずれか一項に記載のプロジェクター。
【発明の詳細な説明】
【技術分野】
【０００１】
本発明は、プロジェクターに関するものである。
【背景技術】
【０００２】
近年、プロジェクターの高性能化に関して、表示品質に優れた画像を得ることが可能な技術の要求が高まっている。
【０００３】
この要求に対して、例えば特許文献１では、マイクロミラーデバイスと、屈折光学レンズと、ギア支持柱と、温度センサと、コントロールユニットと、を備えた画像表示装置が開示されている。マイクロミラーデバイスは、光画像信号を射出する。屈折光学レンズは、マイクロミラーデバイスから射出された光画像信号をスクリーンに投写する。ギア支持柱は、ギア機構により屈折光学レンズを光軸方向に移動させる。温度センサは、屈折光学レンズの温度を測定する。コントロールユニットは、温度センサで測定された屈折光学レンズの温度に基づいて、ギア機構を制御する。
【先行技術文献】
【特許文献】
【０００４】
【特許文献１】特開２００２−２０７１６８号公報
【発明の概要】
【発明が解決しようとする課題】
【０００５】
このような構成によれば、温度変化に起因する、スクリーンに投写される画像（以下、投写画像と称する）のピントのずれを抑制できることが記載されている。しかしながら、このようなピントのずれは、屈折光学レンズの温度以外の要素によっても影響を受ける。そのため、屈折光学レンズの温度に基づいて制御するだけでは、投写画像のピントのずれを抑制することは困難である。また、屈折光学レンズは内部に複数のレンズを備えているが、正確にピントのずれを予測するには各レンズの温度をそれぞれ測定してピントのずれを計算しなくてはならず、複数の温度センサを備える必要がある。
【０００６】
本発明はこのような事情に鑑みてなされたものであって、投写画像のピントのずれを抑制することが可能なプロジェクターを提供することを目的とする。
【課題を解決するための手段】
【０００７】
上記の課題を解決するため、本発明のプロジェクターは、照明装置と、前記照明装置からの照明光を画像情報に応じて変調して光学像を形成する電気光学装置と、前記電気光学装置で形成された前記光学像を投写する投写レンズと、前記電気光学装置と前記投写レンズとを連結するとともに、温度変化により伸縮可能な連結部材と、前記連結部材に設けられるとともに、前記連結部材の温度を調整する温度調整素子と、環境温度を測定する温度センサと、前記温度センサで測定された前記環境温度と前記光学像の表示モードとの関係に基づいて、前記電気光学装置と前記投写レンズとの相対位置が変わらないよう前記温度調整素子を制御する制御装置と、を含むことを特徴とする。
【０００８】
この構成によれば、制御装置の制御により、温度センサで測定された環境温度と光学像の表示モードとの関係に基づいて、電気光学装置と投写レンズとの相対位置が維持される。環境温度と表示モードから投写レンズおよび連結部材の温度を予測することが可能であり、ある環境温度下で所定の表示モードにおいて映像を投写したときに、連結部材は、温度調整素子により温度が調整され、当該位置関係のずれを補正するように伸縮する。つまり、投写レンズが連結部材との連結部分からある量伸縮した場合、連結部材は投写レンズとの連結部分から投写レンズの伸縮量分だけ伸縮する。これにより、電気光学装置と投写レンズとの位置関係のずれが相殺される。よって、投写画像のピントのずれを抑制することができる。
【０００９】
前記プロジェクターにおいて、前記制御装置は、さらに前記投写レンズに基づいて、前記温度調整素子を制御することが好ましい。
【００１０】
この構成によれば、制御装置の制御により、温度センサで測定された環境温度、表示モード、及び投写レンズの関係に基づいて、電気光学装置と投写レンズとの相対位置が維持される。例えば、投写レンズが交換可能になっているとする。この場合、投写レンズに起因する要素としては、投写レンズの種類、形状、サイズ、内蔵しているレンズの枚数等が挙げられる。投写レンズの交換により、プロジェクターで使用している投写レンズの種類、形状、サイズ、内蔵しているレンズの枚数等が異なると、環境温度の変化の前後において投写レンズの伸縮量も異なるからである。よって、さらに投写レンズに基づいて温度調整素子を制御することにより、投写画像のピントのずれを簡易な構成で高精度で抑制することができる。
【００１１】
前記プロジェクターにおいて、前記表示モードは、輝度モード、白黒比のうち少なくとも一つを含むことが好ましい。
【００１２】
この構成によれば、制御装置の制御により、温度センサで測定された環境温度と、投写レンズの温度への影響が大きい光学像の輝度モード、白黒比のうち少なくとも一つとの関係に基づいて、電気光学装置と投写レンズとの相対位置が維持される。よって、投写画像のピントのずれを高精度で抑制することができる。
【００１３】
前記プロジェクターにおいて、前記制御装置は、前記環境温度が基準温度よりも高いとき、前記温度調整素子が前記連結部材を冷却するよう前記温度調整素子を制御することが好ましい。
【００１４】
この構成によれば、投写レンズが膨張して電気光学装置と投写レンズとの位置関係がずれた場合、つまり、投写レンズが連結部材との連結部分からある量伸びた場合、連結部材は投写レンズとの連結部分から投写レンズの伸び量分だけ縮む。これにより、電気光学装置と投写レンズとの位置関係のずれが相殺される。よって、投写画像のピントのずれを抑制することができる。
【００１５】
前記プロジェクターにおいて、前記制御装置は、前記環境温度が基準温度よりも低いとき、前記温度調整素子が前記連結部材を加熱するよう前記温度調整素子を制御することが好ましい。
【００１６】
この構成によれば、投写レンズが収縮して電気光学装置と投写レンズとの位置関係がずれた場合、つまり、投写レンズが連結部材との連結部分からある量縮んだ場合、連結部材は投写レンズとの連結部分から投写レンズの縮み量分だけ伸びる。これにより、電気光学装置と投写レンズとの位置関係のずれが相殺される。よって、投写画像のピントのずれを抑制することができる。
【００１７】
前記プロジェクターにおいて、前記制御装置は、前記環境温度が基準温度と同じとき、前記温度調整素子が前記連結部材を加熱もしくは冷却しないよう前記温度調整素子を制御することが好ましい。
【００１８】
この構成によれば、電気光学装置と投写レンズとの位置関係が変わらない場合、連結部材が伸縮しない。これにより、電気光学装置と投写レンズとの位置関係が維持される。よって、投写画像のピントのずれを抑制することができる。
【００１９】
前記プロジェクターにおいて、前記温度調整素子は、前記制御装置の制御に基づいて、前記連結部材の側の面と前記連結部材とは反対側の面とのうちいずれか一方の面が発熱面となり、他方の面が吸熱面となるよう構成されており、前記発熱面と前記吸熱面とが切り替え可能になっていることが好ましい。
【００２０】
この構成によれば、発熱面と吸熱面とを切り替えることにより、連結部材の加熱と冷却とを切り替えることができる。そのため、投写画像のピントのずれを抑制することが容易となる。
【００２１】
前記プロジェクターにおいて、前記温度調整素子がペルチェ素子であることが好ましい。
【００２２】
この構成によれば、簡素な構成で投写画像のピントのずれを抑制することができる。
【００２３】
前記プロジェクターにおいて、前記温度調整素子に蓄積される熱を放熱する放熱部材を含むことが好ましい。
【００２４】
この構成によれば、放熱部材により温度調整素子が冷却される。そのため、温度調整素子の発熱量が増えることを抑えることができる。よって、温度調整素子の温度調整効率が低下することを抑制することができる。
【００２５】
前記プロジェクターにおいて、前記温度調整素子を冷却する冷却ファンを含むことが好ましい。
【００２６】
この構成によれば、冷却ファンにより温度調整素子が冷却される。そのため、温度調整素子の発熱量が増えることを抑えることができる。よって、温度調整素子の温度調整効率が低下することを抑制することができる。
【００２７】
前記プロジェクターにおいて、前記電気光学装置は、第１電気光学変調装置と、第２電気光学変調装置と、第３電気光学変調装置と、クロスダイクロイックプリズムと、を含み、前記第１電気光学変調装置は、前記クロスダイクロイックプリズムの第１面に配置されており、前記第２電気光学変調装置は、前記クロスダイクロイックプリズムの第２面に配置されており、前記第３電気光学変調装置は、前記クロスダイクロイックプリズムの第３面に配置されており、前記連結部材は、前記クロスダイクロイックプリズムの第４面に連結されており、前記クロスダイクロイックプリズムの中心と前記第１電気光学変調装置の液晶面との間の距離と、前記クロスダイクロイックプリズムの中心と前記第２電気光学変調装置の液晶面との間の距離と、前記クロスダイクロイックプリズムの中心と前記第３電気光学変調装置の液晶面との間の距離と、が互いに同じになっており、前記温度調整素子は、前記第４面の法線方向から見て、前記クロスダイクロイックプリズムの中心と重なる位置に配置されていることが好ましい。
【００２８】
この構成によれば、温度調整素子と第１電気光学変調装置との間の連結部材の長さと、温度調整素子と第２電気光学変調装置との間の連結部材の長さと、温度調整素子と第３電気光学変調装置との間の連結部材の長さと、を互いに同じにすることができる。そのため、制御装置の制御により、温度調整素子と第１電気光学変調装置との間の連結部材の伸縮量と、温度調整素子と第２電気光学変調装置との間の連結部材の伸縮量と、温度調整素子と第３電気光学変調装置との間の連結部材の伸縮量と、を互いに等しく調整することができる。よって、投写画像のピントのずれを高精度で抑制することができる。
【図面の簡単な説明】
【００２９】
【図１】本発明の第１実施形態に係るプロジェクターの概略構成を示す図である。
【図２】第１実施形態に係る電気光学装置とクロスダイクロイックプリズムとを固定する構造を示す図である。
【図３】第１実施形態に係る電気光学装置と投写レンズとを固定する構造を示す図である。
【図４】第２実施形態に係る電気光学装置と投写レンズとを固定する構造を示す図である。
【発明を実施するための形態】
【００３０】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００３１】
（第１実施形態）
図１は、本発明の第１実施形態に係るプロジェクター１の概略構成を示す図である。このプロジェクター１は、照明装置１００から射出された光束を画像情報に応じて変調して光学像を形成し、この光学像をスクリーンＳＣＲ上に拡大投射するものである。
【００３２】
第１実施形態に係るプロジェクター１は、図１に示すように、照明装置１００と、色分離導光光学系２００と、３つの集光レンズ３００Ｒ，３００Ｇ，３００Ｂと、電気光学装置４５０と、投写レンズ６００と、を備えている。電気光学装置４５０は、電気光学変調装置としての３つの液晶装置４００Ｒ，４００Ｇ，４００Ｂと、クロスダイクロイックプリズム５００と、を備えている。
【００３３】
照明装置１００は、光源装置１０と、凹レンズ９０と、第１レンズアレイ１２０と、第２レンズアレイ１３０と、偏光変換素子１４０と、重畳レンズ１５０とを備えている。
【００３４】
光源装置１０は、発光管２０と、リフレクター３０と、を備えている。発光管２０としては、高輝度発光する種々の発光管を採用できる。発光管２０は、例えば、高圧水銀ランプ、メタルハライドランプ等を採用できる。リフレクター３０は、例えば、照明光軸ＯＣ上に第１焦点と第２焦点とを有する回転楕円面の一部である反射面を有する。光源装置１０は、リフレクター３０の第２焦点に向かって集束する照明光束を射出する。なお、リフレクター３０の反射面の断面形状は、放物線状であってもよい。
【００３５】
凹レンズ９０は、光源装置１０の光束が射出される側に配置されている。凹レンズ９０は、光源装置１０からの集束光を略平行光として、第１レンズアレイ１２０に向けて射出する。第１レンズアレイ１２０は、凹レンズ９０から射出される照明光束を複数の部分光束に分割するものである。第１レンズアレイ１２０は、複数の第１小レンズ１２２を備えている。複数の第１小レンズ１２２は、照明光軸ＯＣと略直交する面内にマトリクス状に配列されている。図示による説明は省略するが、第１小レンズ１２２の外形形状は、液晶装置４００Ｒ，４００Ｇ，４００Ｂの画像形成領域の外形形状に関して相似形である。
【００３６】
第２レンズアレイ１３０は、第１レンズアレイ１２０により分割された複数の部分光束を集光するものである。第２レンズアレイ１３０は、複数の第２小レンズ１３２を備えている。複数の第２小レンズ１３２は、第１レンズアレイ１２０の複数の第１小レンズ１２２に対応して、照明光軸ＯＣに略直交する面内にマトリクス状に配列されている。
【００３７】
偏光変換素子１４０は、第２レンズアレイ１３０からの各部分光束を、偏光方向の揃った略１種類の直線偏光に変換して射出するものである。偏光変換素子１４０は、偏光分離層と、反射層と、位相差板と、を有している。偏光分離層は、光源装置１０からの照明光束に含まれる偏光成分のうち一方の直線偏光成分をそのまま透過する。偏光分離層は、他方の直線偏光成分を照明光軸ＯＣに垂直な方向に反射する。反射層は、偏光分離層で反射された他方の直線偏光成分を照明光軸ＯＣに平行な方向に反射する。位相差板は、反射層で反射された他方の直線偏光成分を一方の直線偏光成分に変換する。
【００３８】
重畳レンズ１５０は、第１レンズアレイ１２０、第２レンズアレイ１３０、および偏光変換素子１４０を経て射出される複数の部分光束を集光して液晶装置４００Ｒ，４００Ｇ，４００Ｂの画像形成領域近傍に重畳させるものである。なお、重畳レンズ１５０は、図１では１枚のレンズとして図示されているが、これに限らない。例えば、重畳レンズ１５０は、複数のレンズを組み合わせた複合レンズで構成されていてもよい。
【００３９】
色分離導光光学系２００は、ダイクロイックミラー２１０，２２０と、反射ミラー２３０，２４０，２５０と、入射側レンズ２６０と、リレーレンズ２７０とを有している。色分離導光光学系２００は、照明装置１００から射出される照明光束を赤色光、緑色光、および青色光の３つの色光に分離する。色分離導光光学系２００は、分離した３つの色光を照明対象となる液晶装置４００Ｒ，４００Ｇ，４００Ｂに導く。
【００４０】
ダイクロイックミラー２１０，２２０は、基板上に波長選択膜が形成された光学素子である。波長選択膜は、所定の波長領域の光束を反射し、他の波長領域の光束を透過するものである。光路前段に配置されるダイクロイックミラー２１０は、赤色光成分を反射し、その他の色光成分を透過するものである。光路後段に配置されるダイクロイックミラー２２０は、緑色光成分を反射し、青色光成分を透過するものである。
【００４１】
ダイクロイックミラー２１０で反射された赤色光成分は、反射ミラー２３０により曲折され、集光レンズ３００Ｒを介して赤色光用の液晶装置４００Ｒ（第１電気光学変調装置）の画像形成領域に入射する。集光レンズ３００Ｒは、重畳レンズ１５０からの各部分光束を各主光線に対して略平行な光束に変換する。他の液晶装置４００Ｇ，４００Ｂの光路前段に配設される集光レンズ３００Ｇ，３００Ｂも、集光レンズ３００Ｒと同様に構成されている。
【００４２】
ダイクロイックミラー２１０を通過した緑色光成分および青色光成分のうち緑色光成分は、ダイクロイックミラー２２０によって反射され、集光レンズ３００Ｇを通過して緑色光用の液晶装置４００Ｇ（第２電気光学変調装置）の画像形成領域に入射する。一方、青色光成分は、ダイクロイックミラー２２０を透過し、入射側レンズ２６０、入射側の反射ミラー２４０、リレーレンズ２７０、射出側の反射ミラー２５０、および集光レンズ３００Ｂを通過して青色光用の液晶装置４００Ｂ（第３電気光学変調装置）の画像形成領域に入射する。入射側レンズ２６０、リレーレンズ２７０、および反射ミラー２４０，２５０は、ダイクロイックミラー２２０を透過した青色光成分を液晶装置４００Ｂまで導く機能を有している。
【００４３】
なお、青色光の光路にこのような入射側レンズ２６０、リレーレンズ２７０、および反射ミラー２４０，２５０が設けられているのは、青色光の光路の長さが他の色光の光路の長さよりも長いため、光の発散等による光の利用効率の低下を防止するためである。第１実施形態に係るプロジェクター１においては、青色光の光路の長さが長いのでこのような構成とされているが、これに限らない。例えば、赤色光の光路の長さを長くして、入射側レンズ２６０、リレーレンズ２７０、および反射ミラー２４０，２５０を赤色光の光路に用いる構成としてもよい。
【００４４】
液晶装置４００Ｒ，４００Ｇ，４００Ｂは、色分離導光光学系２００で分離された３つの色光のそれぞれを画像情報に応じて変調するものである。液晶装置４００Ｒ，４００Ｇ，４００Ｂは、照明装置１００の照明対象となっている。
【００４５】
図示を省略するが、各集光レンズ３００Ｒ，３００Ｇ，３００Ｂと各液晶装置４００Ｒ
，４００Ｇ，４００Ｂとの間には、それぞれ入射側偏光板が配置されている。各液晶装置４００Ｒ，４００Ｇ，４００Ｂと固定部材４０との間には、それぞれ射出側偏光板が配置されている。これら入射側偏光板、液晶装置４００Ｒ，４００Ｇ，４００Ｂ、および射出側偏光板によって、入射する各色光の光変調が行われる。
【００４６】
液晶装置４００Ｒ，４００Ｇ，４００Ｂは、一対の透明なガラス基板に電気光学物質である液晶を密閉封入したものである。液晶装置４００Ｒ，４００Ｇ，４００Ｂは、例えば、ポリシリコンＴＦＴをスイッチング素子として、与えられた画像信号に応じて、入射側偏光板から射出された１種類の直線偏光の偏光方向を変調する。
【００４７】
クロスダイクロイックプリズム５００は、３つの液晶装置４００Ｒ，４００Ｇ，４００Ｂによって変調され、射出側偏光板から射出された色光毎に変調された光学像を合成してカラー画像を形成する光学素子である。クロスダイクロイックプリズム５００は、４つの
直角プリズムを貼り合わせた平面視略正方形状をなしている。直角プリズム同士を貼り合わせた略Ｘ字状の界面には、誘電体多層膜が形成されている。
【００４８】
略Ｘ字状の一方の界面に形成された誘電体多層膜は、赤色光を反射するものである。他方の界面に形成された誘電体多層膜は、青色光を反射するものである。これらの誘電体多層膜によって赤色光および青色光は曲折され、緑色光の進行方向と揃えられる。これにより、３つの色光が合成される。
【００４９】
投写レンズ６００は、クロスダイクロイックプリズム５００によって合成されたカラー画像を、所望の倍率でスクリーンＳＣＲ等の投写面に拡大投写する。これにより、スクリーンＳＣＲ等の投写面上に画像が形成される。
【００５０】
プロジェクター１における上述の各装置や構成部材は、投写レンズ６００の投写面側の先端部等の一部を除いて、外装ケース（図示省略）内に収納されている。
【００５１】
図２は、第１実施形態に係る電気光学装置４５０とクロスダイクロイックプリズム５００とを固定する構造を示す図である。なお、図２においては、便宜上、熱電素子６０、放熱部材６１、冷却ファン６２、温度センサ６３、及び制御装置６４の図示を省略している。
【００５２】
図２において、符号５００Ｓ１は、クロスダイクロイックプリズム５００の第１面である。符号５００Ｓ２は、クロスダイクロイックプリズム５００の第２面である。符号５００Ｓ３は、クロスダイクロイックプリズム５００の第３面である。符号５００Ｓ４は、クロスダイクロイックプリズム５００の第４面である。
【００５３】
図２に示すように、第２面５００Ｓ２は第１面５００Ｓ１と直交している。第３面５００Ｓ３は第１面５００Ｓ１と対向している。第４面５００Ｓ４は、第１面５００Ｓ１、第２面５００Ｓ２、及び第３面５００Ｓ３と直交している。
【００５４】
赤色光用の液晶装置４００Ｒは、固定部材４０を介してクロスダイクロイックプリズム５００の第１面５００Ｓ１に配置されている。緑色光用の液晶装置４００Ｇは、固定部材４０を介してクロスダイクロイックプリズム５００の第２面５００Ｓ２に配置されている。青色光用の液晶装置４００Ｂは、固定部材４０を介してクロスダイクロイックプリズム５００の第３面５００Ｓ３に配置されている。液晶装置４００Ｒ，４００Ｇ，４００Ｂは、固定部材４０を介して、クロスダイクロイックプリズム５００と一体に保持されている。連結部材５０の第１固定部５１は、クロスダイクロイックプリズム５００の第４面５００Ｓ４に連結されている。
【００５５】
投写レンズ６００は、円筒状である。投写レンズ６００は、鏡筒６０２の内部に収納されたレンズ等の光学部品と、フランジ６０１とを備えている。
【００５６】
図３は、第１実施形態に係る電気光学装置４５０と投写レンズ６００とを固定する構造を示す図である。図３は、赤色光用の液晶装置４００Ｒの側から見た図である。
【００５７】
図３に示すように、本実施形態のプロジェクター１は、連結部材５０と、熱電素子６０（温度調整素子）と、放熱部材６１と、冷却ファン６２と、温度センサ６３と、制御装置６４と、を備えている。
【００５８】
連結部材５０は、電気光学装置４５０と投写レンズ６００とを連結する。連結部材５０により、電気光学装置４５０と投写レンズ６００との相互の位置が固定されている。連結部材５０は、電気光学装置４５０と投写レンズ６００とを固定した状態で、プロジェクター１の外装ケース（図示省略）に固定されている。なお、以下では、連結部材５０における投写レンズ６００側を前方と呼び、その反対側を後方と呼ぶ。
【００５９】
連結部材５０は、略Ｌ字形状をなしている。連結部材５０は、第１固定部５１と、第２固定部５２と、を有している。第１固定部５１は、電気光学装置４５０を固定するためのものである。第２固定部５２は、投写レンズ６００を固定するためのものである。第１固定部５１と第２固定部５２とは、一体で形成されている。
【００６０】
連結部材５０は、温度変化により伸縮可能である。連結部材５０の形成材料は、例えば、ポリカーボネート（ＰＣ）等の合成樹脂材料を用いる。なお、連結部材５０の形成材料は、マグネシウムやアルミニウム等の金属やこれらを含む合金を用いてもよい。
【００６１】
投写レンズ６００の鏡筒６０２には、連結部材５０の側にフランジ６０１が設けられている。フランジ６０１は、第２固定部５２に固定されている。
【００６２】
電気光学装置４５０は、第１固定部５１に固定されている。なお、電気光学装置４５０は、直接第１固定部５１に固定されることに限らない。例えば、電気光学装置４５０は、取付部材（図示略）を介して第１固定部５１に固定されていてもよい。
【００６３】
電気光学装置４５０と投写レンズ６００とは、投写レンズ６００のバックフォーカス位置に液晶装置４００Ｒ，４００Ｇ，４００Ｂが配置されるように、相互の位置関係が設定されている。ここで、バックフォーカスとは、投写レンズ６００を構成するレンズの後端から後側焦点位置までの距離をいう。さらに、投写レンズ６００のフォーカス調整を行うことで、投写面に鮮明な画像が投写される。
【００６４】
温度調整素子としての熱電素子６０は、連結部材５０に設けられている。熱電素子６０は、制御装置６４により制御される電気エネルギーに基づいて、連結部材５０の温度を調整する。熱電素子６０は、電圧可変駆動あるいはデューティー比可変駆動になっている。
【００６５】
熱電素子６０は、制御装置６４の制御に基づいて、連結部材５０の側の面と連結部材５０とは反対側の面とのうちいずれか一方の面が発熱面となり、他方の面が吸熱面となるよう構成されている。熱電素子６０は、発熱面と吸熱面とが切り替え可能になっている。
【００６６】
本実施形態においては、熱電素子６０として、ペルチェ素子を用いる。これにより、簡素な構成で投写画像のピントのずれを抑制することができる。
【００６７】
放熱部材６１は、熱電素子６０の連結部材５０とは反対側の面に配置されている。放熱部材６１は、熱電素子６０に蓄積される熱を放熱する。放熱部材６１の熱伝導率は、熱電素子６０の熱伝導率よりも大きくなっている。放熱部材６１の形成材料は、例えば、アルミニウムや銅等の金属を用いる。放熱部材６１は、例えば、複数のフィンを有するヒートシンクである。
【００６８】
冷却ファン６２は、熱電素子６０及び放熱部材６１の側方に配置されている。冷却ファン６２は、熱電素子６０及び放熱部材６１に向けて風を送り、熱電素子６０及び放熱部材６１を冷却する。
【００６９】
温度センサ６３は、環境温度を測定する。温度センサ６３は、例えば、サーミスタである。温度センサ６３で測定された環境温度のデータは、制御装置６４に伝達される。以下、温度センサ６３で測定された環境温度を単に環境温度と称する場合がある。
【００７０】
制御装置６４は、熱電素子６０、冷却ファン６２、及び温度センサ６３を統括制御する。本実施形態において、制御装置６４は、環境温度と表示モードと投写レンズ６００との関係に基づいて、電気光学装置４５０と投写レンズ６００との相対位置が変わらないよう熱電素子６０を制御する。
【００７１】
本実施形態の表示モードは、輝度モード、白黒比を含む。ここで、輝度は投写画像、すなわち投写される光学像の明るさである。輝度が高いほど投写画像が明るくなる。白黒比は、ある時間内における平均値な投写画像の明るさ（白さ）を示す指標である。例えば、スクリーンＳＣＲの表示領域の全域が白表示である場合、明るさが最大となる。一方、スクリーンＳＣＲの表示領域の全域が黒表示である場合、明るさが最小となる。
【００７２】
なお、表示モードは、輝度モードのみを含んでいてもよいし、白黒比のみを含んでいてもよい。すなわち、表示モードは、輝度モード、白黒比のうち少なくとも一つを含んでいればよい。また、表示モードとして他のモードを含んでいてもよい。
【００７３】
ここで、投写レンズ６００は、環境温度の変化の前後においてプロジェクター１で使用している投写レンズ６００である。
【００７４】
例えば、投写レンズ６００が交換可能になっているとする。この場合、投写レンズ６００に起因する要素としては、投写レンズ６００の種類、形状、サイズ、内蔵しているレンズの枚数等が挙げられる。投写レンズ６００の交換により、プロジェクター１で使用している投写レンズ６００の種類、形状、サイズ、内蔵しているレンズの枚数等が異なると、環境温度の変化の前後において投写レンズ６００の伸縮量も異なるからである。
【００７５】
例えば、投写レンズ６００の種類としては、単焦点レンズ、ズームレンズ等がある。単焦点レンズは、焦点距離が固定されたレンズである。ズームレンズは、焦点距離を一定の範囲で自由に変更可能なレンズである。これは、ユーザーが、プロジェクター１に予め附属している投写レンズ６００を、単焦点レンズやズームレンズ等のオプションレンズに交換する場合を想定したものである。
【００７６】
なお、プロジェクター１で使用している投写レンズ６００の種類、形状、サイズ、内蔵しているレンズの枚数が同じ場合においても、投写レンズ６００の製造誤差や投写レンズ６００の鏡筒６０２の内部にレンズを取り付ける際の設置ずれ等により、環境温度の変化の前後において投写レンズ６００の伸縮量が異なるようになる場合がある。よって、投写レンズ６００に起因する要素としては、投写レンズ６００の製造誤差や設置ずれ等も加味しても良い。
【００７７】
表１は、温度センサ６３で測定された環境温度、表示モード、及び投写レンズ６００のパラメータと、これらに基づいて演算された演算結果と、の関係を示すテーブルである。表１の中には、ある環境温度のときの表示モードと投写レンズ６００との関係に基づいて、演算装置（図示略）により演算された演算結果が表示される。
【００７８】
【表１】
2013195490.tif 000003
【００７９】
表１においては、一例として、環境温度を第１の温度範囲Ａ、第２の温度範囲Ｂ、第３の温度範囲Ｃの３つに分けている。第１の温度範囲Ａは、投写レンズ６００の基準温度よりも高い温度範囲に設定されている。第２の温度範囲Ｂは、投写レンズ６００の基準温度よりも低い温度範囲に設定されている。第３の温度範囲Ｃは、投写レンズ６００の基準温度と略同じになっている。つまり。第３の温度範囲Ｃは、投写レンズ６００の基準温度に誤差等を加味した温度範囲に設定されている。
【００８０】
本実施形態において、基準温度とは、投写レンズ６００の製造時の環境温度を意味する。以下、投写レンズ６００の製造時の環境温度を単に製造温度と称する場合がある。例えば、製造温度は、投写レンズ６００と電気光学装置４５０とを連結部材５０に取り付けて、投写レンズ６００と電気光学装置４５０との相対位置の位置合わせをするときの温度である。製造温度は、例えば、２０℃〜２５℃である。
【００８１】
例えば、第３の温度範囲Ｃは、製造温度の温度範囲と同じ範囲（２０℃〜２５℃）に設定される。この場合、第１の温度範囲Ａは、例えば、２５℃〜３５℃に設定される。第２の温度範囲Ｂは、１０℃〜２０℃に設定される。
【００８２】
なお、環境温度の範囲は３つに限らず、１つ、２つ、もしくは４つ以上の複数範囲等、種々の範囲を適用可能である。例えば、環境温度の範囲が１つの場合は、製品の仕向け地の環境温度が生産地の環境温度よりも高い場合を想定したものである。
【００８３】
一例として、輝度モードを高輝度、低輝度の２つのモードとしている。例えば、投写画像を明るくしたい場合には高輝度モードに設定する。高輝度モードの場合は、投写レンズ６００が温度上昇し、投写レンズ６００が膨張しやすくなる。投写画像を暗くしたい場合には低輝度モードに設定する。低輝度モードの場合は、投写レンズ６００が温まりにくくなる。そのため、投写レンズ６００が膨張しにくくなる。なお、輝度モードは３つに限らず、１つ、２つ、もしくは４つ以上の複数モード等、種々のモードを適用可能である。例えば、輝度モードが１つの場合は、投写画像の明るさが標準の輝度モードとして、高輝度モードと低輝度モードの中間の輝度モードを想定したものである。
【００８４】
一例として、白黒比を１００％、７５％、５０％、２５％、０％の５つのパターンとしている。
【００８５】
例えば、スクリーンＳＣＲの表示領域の全域が白表示である場合は、１００％に該当する。白黒比が１００％に近づくにつれて、ある時間内において投写画像が明るくなる割合が大きくなる。ある時間内において投写画像が明るくなる割合が大きくなると、投写レンズ６００が温度上昇し、投写レンズ６００が膨張しやすくなる。
【００８６】
一方、スクリーンＳＣＲの表示領域の全域が黒表示である場合は、０％に該当する。白黒比が０％に近づくにつれて、ある時間内において投写画像が暗くなる割合が大きくなる。ある時間内において投写画像が暗くなる割合が大きくなると、投写レンズ６００が温まりにくくなる。そのため、投写レンズ６００が膨張しにくくなる。
【００８７】
白表示及び黒表示以外、つまり、スクリーンＳＣＲに何らかの投写画像を写している場合は、０％〜１００％の範囲内に該当する。なお、白黒比のパターンは５つに限らず、２つないし４つ、もしくは６つ以上の複数パターン等、種々のパターンを適用可能である。
【００８８】
一例として、投写レンズをａ，ｂ，ｃの３つの分類としている。例えば、プロジェクター１で使用中の投写レンズ６００をａとする。例えば、オプションレンズとして、単焦点レンズをｂ、ズームレンズをｃとする。なお、投写レンズ６００の分類は３つに限らず、２つ、もしくは４つ以上の複数分類等、種々の分類を適用可能である。
【００８９】
一例として、第１の演算結果をＸ１、第２の演算結果をＸ２、第３の演算結果をＸ３としている。例えば、これらの演算結果は、投写レンズ６００のずれを補正するための熱電素子６０に印加する電圧値である。制御装置６４は、当該電圧値に基づいて熱電素子６０を駆動させる。なお、演算結果は、電圧値に限らず、デューティー比も適用可能である。
【００９０】
また、演算結果は、投写レンズ６００の伸縮量、投写レンズ６００のずれを補正するための連結部材５０の伸縮量等、種々の演算結果を適用可能である。この場合、これらの演算結果により演算された電圧値に基づいて熱電素子６０が駆動される。
【００９１】
図２に戻り、符号ＣＰは、クロスダイクロイックプリズム５００の中心（以下、プリズム中心ＣＰと称する）である。符号Ｌ１は、フランジ６０１の第２固定部５２の側の面６０１ａ（以下、フランジ面６０１ａと称する）からプリズム中心ＣＰまでの距離である。符号ＬＲは、プリズム中心ＣＰと赤色光用の液晶装置４００Ｒの液晶面４００Ｒａとの間の距離（以下、第１の距離ＬＲと称する）である。符号ＬＧは、プリズム中心ＣＰと緑色光用の液晶装置４００Ｇの液晶面４００Ｇａとの間の距離（以下、第２の距離ＬＧと称する）である。符号ＬＢは、プリズム中心ＣＰと青色光用の液晶装置４００Ｂの液晶面４００Ｂａとの間の距離（以下、第３の距離ＬＢと称する）である。ここで、液晶面とは、液晶層（図示略）を挟んで配置された一対の基板の界面とする。液晶層の厚みは、基板の厚みに比べて無視できるほど薄いからである。
【００９２】
ここで、フランジ面６０１ａと赤色光用の液晶装置４００Ｒの液晶面４００Ｒａとの間の距離を、第１のフランジバックＥＲとする。第１のフランジバックＥＲは、下記の（１）式により表される。
【００９３】
ＥＲ＝Ｌ１＋ＬＲ  ・・・（１）
【００９４】
フランジ面６０１ａと緑色光用の液晶装置４００Ｇの液晶面４００Ｇａとの間の距離を、第２のフランジバックＥＧとする。第２のフランジバックＥＧは、下記の（２）式により表される。
【００９５】
ＥＧ＝Ｌ１＋ＬＧ  ・・・（２）
【００９６】
フランジ面６０１ａと青色光用の液晶装置４００Ｂの液晶面４００Ｂａとの間の距離を、第３のフランジバックＥＢとする。第３のフランジバックＥＢは、下記の（３）式により表される。
【００９７】
ＥＢ＝Ｌ１＋ＬＢ  ・・・（３）
【００９８】
フランジバックは、連結部材５０の温度変化に伴って伸縮する。つまり、フランジバックは、制御装置６４の制御により、熱電素子６０に付与する電気エネルギーを調整することによって伸縮する。
【００９９】
ここで、連結部材５０の温度変化に伴って伸縮する第１のフランジバックＥＲの伸縮量を、第１のフランジバック伸縮量ΔＥＲとする。連結部材５０の線膨張率をαとする。環境温度の変化前後の温度差をΔＴとする。温度差ΔＴは、製造温度Ｔ０（基準温度）から使用している投写レンズ６００の環境温度Ｔ１を引いた値である（ΔＴ＝Ｔ０−Ｔ１）。
【０１００】
第１のフランジバック伸縮量ΔＥＲは、上記の（１）式、連結部材５０の線膨張率α、及び温度差ΔＴに基づいて、下記の（４）式により表される。
【０１０１】
ΔＥＲ＝α・ΔＴ・ＥＲ  ・・・（４）
【０１０２】
連結部材５０の温度変化に伴って伸縮する第２のフランジバックＥＧの伸縮量を、第２のフランジバック伸縮量ΔＥＧとする。第２のフランジバック伸縮量ΔＥＧは、上記の（２）式、連結部材５０の線膨張率α、及び温度差ΔＴに基づいて、下記の（５）式により表される。
【０１０３】
ΔＥＧ＝α・ΔＴ・ＥＧ  ・・・（５）
【０１０４】
連結部材５０の温度変化に伴って伸縮する第３のフランジバックＥＢの伸縮量を、第３のフランジバック伸縮量ΔＥＢとする。第３のフランジバック伸縮量ΔＥＢは、上記の（３）式、連結部材５０の線膨張率α、及び温度差ΔＴに基づいて、下記の（６）式により表される。
【０１０５】
ΔＥＢ＝α・ΔＴ・ＥＢ  ・・・（６）
【０１０６】
図３に戻り、環境温度の変化前におけるフランジバックをＥとする。なお、図３においては、便宜上、フランジバックとして第２のフランジバックＥＧを図示し、第１のフランジバックＥＲ、第３のフランジバックＥＢの図示を省略している。
【０１０７】
ここで、投写レンズ６００の伸縮量について説明する。投写レンズ６００は、汚れ防止等のためにレンズ群が鏡筒６０２により密閉されている。そのため、プロジェクター１の使用時に投写レンズ６００の鏡筒内の温度が上昇する。この鏡筒内の温度上昇に伴い、投写レンズ６００が熱膨張すると、液晶装置が投写レンズのバックフォーカス位置からずれてしまう。
【０１０８】
例えば、電気光学装置４５０と投写レンズ６００との位置関係が、環境温度の範囲、輝度モード、白黒比のパターン、投写レンズ６００の分類の組合せに起因して伸縮量が異なる場合がある。投写レンズ６００の伸縮量は、鏡筒内の温度以外の要素によって影響を受ける。投写レンズ６００の伸縮量は、環境温度、輝度モード、白黒比のパターン、投写レンズ６００の分類の組合せによって異なる。
【０１０９】
例えば、環境温度を第１の温度範囲Ａ、輝度モードを高輝度、白黒比を７５％、投写レンズ６００の分類をａとしたときの組合せを組合せＶとする。一方、環境温度の範囲を第２の温度範囲Ｂ、輝度モードを低輝度、白黒比を２５％、投写レンズ６００の分類をｂとしたときの組合せを組合せＷとする。組合せＶと組合せＷとでは、投写レンズ６００の伸縮量が互いに異なる。
【０１１０】
本実施形態のプロジェクター１では、投写レンズ６００が伸縮しても、液晶装置４００Ｒ，４００Ｇ，４００Ｂと投写レンズ６００のバックフォーカス位置とのずれが抑えられる構成となっている。
【０１１１】
本実施形態においては、環境温度の温度上昇に伴い、環境温度が基準温度よりも高いときを例に挙げて説明する。この場合、投写レンズ６００の照明光軸ＯＣに沿った方向における長さが環境温度の上昇前に比べて長くなる。環境温度が上昇して投写レンズ６００が熱膨張したときの投写レンズ６００の位置を、図３に２点鎖線で示す。
【０１１２】
環境温度の上昇前、環境温度が基準温度と同じときの第２固定部５２の前方側の面５２ａから投写レンズ６００の先端までの距離をＤ０とする。また、環境温度の上昇後における投写レンズ６００が熱膨張したときの、面５２ａから投写レンズ６００の先端までの距離をＤ１とする。すると、投写レンズ６００は、熱膨張により、面５２ａに対して（Ｄ１−Ｄ０）だけ前方に伸びたことになる。つまり、液晶装置４００Ｒ，４００Ｇ，４００Ｂは、投写レンズ６００のバックフォーカス位置から（Ｄ１−Ｄ０）だけ後方にずれたことになる。
【０１１３】
そのため、本実施形態においては、環境温度が上昇して投写レンズ６００が熱膨張したときには、制御装置６４の制御により、熱電素子６０が連結部材５０を冷却する。例えば、制御装置６４の制御により、緑色光用の液晶装置４００Ｇの液晶面４００Ｇａを、フランジ面６０１ａに対してフランジバック伸縮量ΔＥＧだけ前方に移動させる（ΔＥＧ＝（Ｄ１−Ｄ０））。これにより、液晶装置４００Ｒ，４００Ｇ，４００Ｂの投写レンズ６００のバックフォーカス位置からのずれを補正することができる。
【０１１４】
このように、環境温度の変化の前後において、電気光学装置４５０と投写レンズ６００との相対位置が変わらないよう制御装置６４による制御が行われる。
【０１１５】
なお、図３においては、環境温度が基準温度よりも高いとき、投写レンズ６００が伸びた場合を例に挙げて説明したが、これに限らない。環境温度が基準温度よりも低いとき、投写レンズ６００が縮んだ場合においても本発明を適用可能である。この場合、投写レンズ６００の照明光軸ＯＣに沿った方向における長さが環境温度の上昇前に比べて短くなる。そのため、環境温度が低下して投写レンズ６００が収縮したときには、制御装置６４の制御により、熱電素子６０が連結部材５０を加熱する。例えば、制御装置６４の制御により、緑色光用の液晶装置４００Ｇの液晶面４００Ｇａを、フランジ面６０１ａに対してフランジバック伸縮量ΔＥＧだけ後方に移動させる。
【０１１６】
また、環境温度が基準温度と同じときは投写レンズ６００の照明光軸ＯＣに沿った方向における長さが変化しない。そのため、制御装置６４の制御により、熱電素子６０が連結部材５０を加熱もしくは冷却しない。例えば、制御装置６４の制御により、緑色光用の液晶装置４００Ｇの液晶面を、フランジ面６０１ａに対して移動させない。
【０１１７】
また、図３においては、投写レンズ６００の照明光軸ＯＣに沿った方向における長さが環境温度の変化の前後において伸縮する場合を挙げて説明したが、これに限らない。例えば、投写レンズ６００の照明光軸ＯＣと交差する方向における長さが環境温度の変化の前後において伸縮する場合にも適用可能である。その場合、制御装置６４の制御により、液晶装置４００Ｒ，４００Ｂの液晶面４００Ｒａ，４００Ｂａを、フランジバック伸縮量ΔＥＲ，ΔＥＢだけ左右に移動させてもよい。
【０１１８】
以上説明したように、第１実施形態に係るプロジェクター１によれば、制御装置６４の制御により、環境温度と表示モードと投写レンズ６００との関係に基づいて、電気光学装置４５０と投写レンズ６００との相対位置が維持される。例えば、環境温度の範囲、輝度モード、白黒比のパターン、投写レンズ６００の分類の組合せより電気光学装置４５０と投写レンズ６００との位置ずれを推定し、連結部材５０は当該位置関係のずれを補正するように伸縮する。つまり、投写レンズ６００が連結部材５０との連結部分からある量伸縮した場合、連結部材５０は投写レンズ６００との連結部分から投写レンズ６００の伸縮量分だけ伸縮する。これにより、電気光学装置４５０と投写レンズ６００との位置関係のずれが相殺される。よって、投写画像のピントのずれを抑制することができる。
【０１１９】
さらに、熱電素子６０は、電圧可変駆動あるいはデューティー比可変駆動になっている。そのため、プロジェクター１の使用中、つまり、環境温度の変化中の投写画像のピントのずれを抑制することができる。その結果、使用時に温度が変化しても鮮明な画像が投写されるプロジェクター１を提供することができる。
【０１２０】
また、本実施形態においては、環境温度を測定しているため、投写レンズの温度を直接測定する構成に比べて、温度測定が容易となる。よって、投写画像のピントのずれを高精度で抑制することができる。
【０１２１】
また、この構成によれば、制御装置６４の制御により、環境温度と、輝度及び白黒比と、投写レンズ６００との関係に基づいて、電気光学装置と投写レンズとの相対位置が維持される。よって、投写画像のピントのずれを簡易な構成で高精度で抑制することができる。
【０１２２】
また、この構成によれば、放熱部材６１、冷却ファン６２により、熱電素子６０が冷却されるため、熱電素子６０の発熱量が増えることを抑えることができる。よって、熱電素子６０の温度調整効率が低下することを抑制することができる。
【０１２３】
なお、本実施形態のプロジェクター１では、制御装置６４が、環境温度と表示モードと投写レンズ６００との関係に基づいて、熱電素子６０を制御しているが、これに限らない。例えば、制御装置６４が、環境温度と表示モードとの関係に基づいて、熱電素子６０を制御してもよい。この場合、投写レンズ６００の分類は１つの分類を適用することとなる。
【０１２４】
なお、本実施形態のプロジェクター１では、光均一化光学系として第１レンズアレイおよび第２レンズアレイからなるレンズインテグレーター光学系を用いたが、これに限定されるものではない。光均一化光学系として、例えば、導光ロッドからなるロッドインテグレーター光学系を用いることもできる。
【０１２５】
また、本実施形態におけるプロジェクター１は透過型のプロジェクターであるが、これに限定されるものではない。例えば、反射型のプロジェクターであってもよい。ここで、「透過型」とは、透過型の液晶装置等のように電気光学変調装置が光を透過するタイプであることを意味している。「反射型」とは、反射型の液晶装置等のように電気光学変調装置が光を反射するタイプであることを意味している。反射型のプロジェクターに本発明を適用した場合にも、透過型のプロジェクターと同様の効果を得ることができる。  
【０１２６】
また、本実施形態におけるプロジェクター１は３つの液晶装置を用いた三板式のプロジェクターであるが、これに限定されるものではない。例えば、１つの液晶装置を用いた単板式のプロジェクターにも適用することができる。
【０１２７】
また、本実施形態のプロジェクター１では、電気光学変調装置として液晶装置を用いているが、本発明はこれに限定されるものではない。電気光学変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【０１２８】
（第２実施形態）
図４は、本発明の第２実施形態に係る電気光学装置と投写レンズとを固定する構造を示す図である。なお、図４においては、便宜上、放熱部材６１、冷却ファン６２、温度センサ６３、及び制御装置６４の図示を省略している。
【０１２９】
図４に示すように、本実施形態においては、熱電素子６０の配置位置が上述の第１実施形態に係る熱電素子６０の配置位置と異なっている。その他の点は上述の構成と同様であるので、図２、図３と同様の要素には同一の符号を付し、詳細な説明は省略する。
【０１３０】
本実施形態においては、第１の距離ＬＲ、第２の距離ＬＧ、及び第３の距離ＬＢが互いに同じになっている（ＬＲ＝ＬＧ＝ＬＢ）。つまり、第１のフランジバックＥＲ、第２のフランジバックＥＧ、及び第３のフランジバックＥＢが互いに同じになっている（ＥＲ＝ＥＧ＝ＥＢ）。熱電素子６０は、第４面５００Ｓ４の法線方向から見て、プリズム中心ＣＰと重なる位置に配置されている。
【０１３１】
本実施形態では、熱電素子６０と赤色光用の液晶装置４００Ｒとの間の連結部材５０の長さと、熱電素子６０と緑色光用の液晶装置４００Ｇとの間の連結部材５０の長さと、熱電素子６０と青色光用の液晶装置４００Ｂとの間の連結部材５０の長さと、を互いに同じにしている。そのため、制御装置６４の制御により、熱電素子６０と赤色光用の液晶装置４００Ｒとの間の連結部材５０の伸縮量と、熱電素子６０と緑色光用の液晶装置４００Ｇとの間の連結部材５０の伸縮量と、熱電素子６０と青色光用の液晶装置４００Ｂとの間の連結部材５０の伸縮量と、を互いに等しく調整することができる。よって、投写画像のピントのずれを高精度で抑制することができる。
【０１３２】
本発明は、投写画像を観察する側から投写するフロント投写型プロジェクターに適用する場合にも、投写画像を観察する側とは反対の側から投写するリア投写型プロジェクターに適用する場合にも、適用することができる。
【符号の説明】
【０１３３】
１…プロジェクター、５０…連結部材、６０…熱電素子（温度調整素子）、６１…放熱部材、６２…冷却ファン、６３…温度センサ、６４…制御装置、１００…照明装置、４００Ｒ…赤色光用の液晶装置（第１電気光学変調装置）、４００Ｒａ…赤色光用の液晶装置の液晶面（第１電気光学変調装置の液晶面）、４００Ｇ…緑色光用の液晶装置（第２電気光学変調装置）、４００Ｇａ…緑色光用の液晶装置の液晶面（第２電気光学変調装置の液晶面）、４００Ｂ…青色光用の液晶装置（第３電気光学変調装置）、４００Ｂａ…青色光用の液晶装置の液晶面（第３電気光学変調装置の液晶面）、４５０…電気光学装置、５００…ダイクロイックプリズム、６００…投写レンズ、ＣＰ…プリズム中心（クロスダイクロイックプリズムの中心）、ＬＲ…第１の距離（クロスダイクロイックプリズムの中心と第１電気光学変調装置の液晶面との間の距離）、ＬＧ…第２の距離（クロスダイクロイックプリズムの中心と第２電気光学変調装置の液晶面との間の距離）、ＬＢ…第３の距離（クロスダイクロイックプリズムの中心と第３電気光学変調装置の液晶面との間の距離）、Ｔ０…製造温度（基準温度）
【図１】
2013195490.tif 000004
【図２】
2013195490.tif 000005
【図３】
2013195490.tif 000006
【図４】
2013195490.tif 000007